(57)【要約】      （修正有）【課題】物品の仕切装置を、棚板の左右方向の任意の位置に容易に取り付けうるようにすることにより、物品を左右方向に整然と、かつ効率よく区分けして並置しうる物品載置用什器を提供する。【解決手段】仕切装置１１を、複数の棚板７の上面に前後方向を向いて載置される仕切板１２と、複数の棚板７の前方においてこれらに跨る長さの上下寸法を有し、かつ各仕切板１２の前端部に着脱可能に取付けられた仕切杆１３とを備えるものとし、各仕切板１２の後端部を、上下の棚板７の後端部に、前後方向に移動不能かつ左右位置を変更可能に取付ける。【選択図】図３
2011182990.tif 000002
【特許請求の範囲】
【請求項１】
上下複数段の棚板の物品載置面を左右方向に仕切る仕切装置を備える物品載置用什器において、
前記仕切装置は、前記複数の棚板の上面に前後方向を向いて載置される垂直の仕切板と、前記複数の棚板の前方においてこれらに跨る長さの上下寸法を有し、かつ前記各仕切板の前端部に着脱可能に取付けられた仕切杆とを備え、前記各仕切板の後端部を、前記上下の棚板の後端部に、前後方向に移動不能かつ左右位置を変更可能に取付けたことを特徴とする物品載置用什器。
【請求項２】
棚板の後縁に、左右方向を向く起立片を立設するとともに、仕切板の後端部に、側方を向く前後１対の挟持片を設け、両挟持片を、前記起立片に左右方向に摺動可能に嵌合してなる請求項１記載の物品載置用什器。
【請求項３】
前後いずれか一方の挟持片に螺合した固定ねじの先端を、起立片の前後いずれか一方の面に圧接させることにより、仕切板の後端部を棚板の起立片に固定し、かつ固定ねじを緩めることにより、仕切板の左右位置を変更可能としてなる請求項２記載の物品載置用什器。
【請求項４】
起立片の上端部に、前下向きまたは後下向きの折返し部を設け、この折返し部の下端の直下に、固定ねじの先端部の上面を位置させるようにしてなる請求項２または３記載の物品載置用什器。
【請求項５】
仕切板の前端に側面視上向き鉤状の係止フックを設け、この係止フックに、仕切杆の後面に設けた係合孔を嵌合して係止することにより、仕切杆を上下の仕切板の前端部に着脱可能に取付けてなる請求項１〜４のいずれかに記載の物品載置用什器。
【請求項６】
仕切杆の少なくとも前面を、棚板に載置した物品の情報を表示する表示面としてなる請求項１〜５のいずれかに記載の物品載置用什器。
【発明の詳細な説明】
【技術分野】
【０００１】
本発明は、物品を載置する棚板の上面を、左右方向に複数に仕切る仕切装置を備える物品載置用什器に関する。
【背景技術】
【０００２】
病院や薬局の調剤室等において使用される物品載置用什器の中には、例えば特許文献１に記載されているように、支柱に取付けたブラケットにより支持された上下複数段の棚板上に、薬剤等を個別に収容したトレーを、左右方向に多数並置しうるようにしたものがある。
【０００３】
この引用文献１に記載の什器においては、ブラケットの棚板支持部が水平をなしているので、多数のトレーを、ブラケットと干渉させることなく、左右方向の任意の位置の棚板上に並置しうる利点がある。
しかし、棚板の上面を左右方向に複数のエリアに区画することができないため、薬剤毎に各トレーを分類して載置したり、上下の棚板毎に、各トレーを分類して載置したりすることができず、使い勝手が悪いという問題がある。また、トレー等の情報を表示する手段が設けられていないので、トレー内の物品の管理や選別作業が面倒である。
【０００４】
この問題を解決するものとして、棚板上の物品を分類または選別したり、載置物品の情報を表示したりする仕切装置(商品区分け手段)を設けた物品載置用什器がある(例えば特許文献２、３参照)。
【先行技術文献】
【特許文献】
【０００５】
【特許文献１】特開２００８−２１２３０４号公報
【特許文献２】特開２００２−２２３９０８号公報
【特許文献３】特開２０００−１２２５６０号公報
【発明の概要】
【発明が解決しようとする課題】
【０００６】
上記特許文献２及び３に記載されている物品載置用什器においては、いずれも、物品の仕切装置を、棚板を支持する支柱を利用して取付けてあるので、仕切装置の左右方向の取付位置が限定的となり、棚板の左右方向の任意の位置に移動できない。そのため、棚板上に、物品を左右方向に整然と区分けして載置したり、左右寸法の異なる物品を左右方向に隙間なく効率よく並置したりすることができないという問題がある。
【０００７】
本発明は、上記問題点に鑑みてなされたもので、物品の仕切装置を、棚板の左右方向の任意の位置に容易に取り付けうるようにすることにより、物品を左右方向に、整然と、かつ効率よく区分けして並置することのできる使い勝手のよい物品載置用什器を提供することを目的としている。
【課題を解決するための手段】
【０００８】
本発明によると、上記課題は、次の各項のようにして解決される。
（１）上下複数段の棚板の物品載置面を左右方向に仕切る仕切装置を備える物品載置用什器において、前記仕切装置は、前記複数の棚板の上面に前後方向を向いて載置される垂直の仕切板と、前記複数の棚板の前方においてこれらに跨る長さの上下寸法を有し、かつ前記各仕切板の前端部に着脱可能に取付けられた仕切杆とを備え、前記各仕切板の後端部を、前記上下の棚板の後端部に、前後方向に移動不能かつ左右位置を変更可能に取付ける。
【０００９】
このような構成とすると、仕切装置の各仕切板は、上下の棚板に左右位置を変更可能として取付けられ、仕切装置の左右方向の装着位置を任意に変更することができるので、従来のように、仕切装置の左右方向の取付位置が限定されることはない。
従って、棚板上に、多数の物品を、左右方向に整然と区分けして載置することができ、また、左右寸法の異なる物品であっても、左右方向に隙間なく効率よく並置することができるので、物品載置状態の体裁がよくなるとともに、物品載置用什器の使い勝手が向上する。
【００１０】
（２）上記(１)項において、棚板の後縁に、左右方向を向く起立片を立設するとともに、仕切板の後端部に、側方を向く前後１対の挟持片を設け、両挟持片を、前記起立片に左右方向に摺動可能に嵌合する。
【００１１】
このような構成とすると、棚板の後端部に、仕切板の後端部を、左右方向に移動可能として簡単に取り付けることができる。
【００１２】
（３）上記(２)項において、前後いずれか一方の挟持片に螺合した固定ねじの先端を、起立片の前後いずれか一方の面に圧接させることにより、仕切板の後端部を棚板の起立片に固定し、かつ固定ねじを緩めることにより、仕切板の左右位置を変更可能とする。
【００１３】
このような構成とすると、仕切片の浮き上がり、及び左右方向への移動を確実に防止することができる。
また、起立片と挟持片とが、互いに面で強く圧接して接触面積が増大するので、仕切板を棚板の起立片に安定よく取付けることができる。
さらに、固定ねじを緩めるだけで、仕切装置の左右位置を容易に変更することができる。
【００１４】
（４）上記(２)または(３)項において、起立片の上端部に、前下向きまたは後下向きの折返し部を設け、この折返し部の下端の直下に、固定ねじの先端部の上面を位置させるようにする。
【００１５】
このような構成とすると、固定ねじが若干緩んでも、その上面が折返し部の下端と当接するので、仕切板が起立片の上方に外れたり、上下方向に大きくがたついたりするのが防止される。
【００１６】
（５）上記(１)〜(４)項のいずれかにおいて、仕切板の前端に側面視上向き鉤状の係止フックを設け、この係止フックに、仕切杆の後面に設けた係合孔を嵌合して係止することにより、仕切杆を上下の仕切板の前端部に着脱可能に取付ける。
【００１７】
このような構成とすると、各仕切板の前端部に、仕切杆を、着脱可能に簡単に取付けることができるので、仕切装置の組立てや分解作業が容易となる。
【００１８】
（６）上記(１)〜(５)項のいずれかにおいて、仕切杆の少なくとも前面を、棚板に載置した物品の情報を表示する表示面とする。
【００１９】
このような構成とすると、棚板上の物品の選別等が容易になったり、棚板上の物品を部分的に際立たせたりすることができる。
【発明の効果】
【００２０】
本発明によれば、物品の仕切装置を、棚板の左右方向の任意の位置に容易に取り付けうるので、物品を左右方向に整然と、かつ効率よく区分けして並置することのでき、使い勝手のよい物品載置用什器を提供することができる。
【図面の簡単な説明】
【００２１】
【図１】本発明の物品載置用什器の一実施形態の斜視図である。
【図２】仕切装置の分解斜視図である。
【図３】同じく、棚板に取付けた状態の斜視図である。
【図４】物品載置用什器における仕切装置取付部の拡大縦断側面図である。
【発明を実施するための形態】
【００２２】
以下、本発明の一実施形態を、図面に基づいて説明する。
図１は、病院や薬局の調剤室等において使用される本発明の物品載置用什器の斜視図で、この物品載置用什器は、左右複数(３本)の支柱１と、それらの上端部の対向面同士を連結している横連結杆２、２と、各支柱１の後面に取付けられた背板３とからなる棚フレーム４を備えている。
【００２３】
棚フレーム４における各支柱１の下部前面には、多数の引出し５を有するキャビネット６が取付けられ、またキャビネット６の上方において各支柱１の前面には、上下複数段の棚板７が、それらの左右両側端に固着された側板８、８の後端に設けたフック(図示略)を、最外方の左右の支柱１、１の前面に列設された上下複数の係合孔９に選択的に係合させることにより、上下位置を変更可能に取付けられている。各棚板７には、物品、すなわち薬剤等を収容可能な同形のトレー１０が、横方向に多数並置されている。
【００２４】
トレー１０が載置されている棚板７には、左右複数の仕切装置１１、１１が、次のようにして取付けられている。
図２は、仕切装置１１の分解斜視図、図３は、同じく、棚板７に取付けた状態の斜視図、図４は、物品載置用什器における仕切装置１１取付部の拡大縦断側面図である。
【００２５】
図２〜図４に示すように、仕切装置１１は、上下複数の棚板７の上面を左右方向に仕切る、前後寸法(図２の右方が前)が棚板７のそれよりも若干長寸をなす上下複数の前後方向を向く垂直の仕切板１２と、上下複数の棚板７に跨る長さを有し、かつそれらの前面に当接または近接するようにして、各仕切板１２の前端に着脱可能に取り付けられた平面視前向きコ字状をなす上下方向の仕切杆１３と、この仕切杆１３に、その前面と両側面を覆うように着脱可能に嵌合された、平面視後向きコ字状の仕切杆カバー１４とを備えている。
【００２６】
仕切板１２は、前端に上下２個の上向き鉤状の係止フック１５、１５が突設され、かつ後端部を除く下端部に上向きの折返し部１２ａを有する垂直の金属板よりなり、後端部には、下半部を外側方に直角に折曲することにより、後記する棚板７の起立片１８を前方から挟持可能な挟持片１２ｂが一体的に連設されている。なお、挟持片１２ｂの下端と仕切板１２の下端とは、同一面をなし、仕切板１２を棚板７の上面に載置した際に、垂直に自立しうるようになっている。
【００２７】
仕切板１２における挟持片１２ｂよりも後方の後端部の側面には、上下寸法が仕切板１２のそれとほぼ等しい平面視Ｌ字状をなす取付ブラケット１６の後向片１６ａが、スポット溶接等により固着され、取付ブラケット１６の側方を向く挟持片１６ｂの下半部は、上記挟持片１２ｂと所要の隙間を設けて対向している。
【００２８】
仕切杆１３の後面には、上記係止フック１５に係合可能な縦長スリット状の係合孔１７が、上下方向に一定間隔おきに穿設されている。
【００２９】
このような構成の仕切装置１１を、上下の棚板７に装着するには、まず、仕切杆カバー１４を予め嵌合してなる仕切杆１３の係合孔１７に、仕切ろうとする複数の棚板７に対応する数の仕切板１２を、それらの前端の係止フック１５を係合させて取付ける。
【００３０】
ついで、各棚板７の後縁に連設された、上端部に後下向きの折返し部１８ａを有する起立片１８を、仕切板１２の前後の挟持片１２ｂ、１６ｂにより前後から挟むようにして、各仕切板１２を上下複数の棚板７の左右方向の任意の位置に載置する。
【００３１】
ついで、後部の挟持片１６ｂの下端部に設けためねじ孔１９に、手回し可能な固定ねじ２０を、後方より螺合し、起立片１８の折返し部１８ａの直下に位置する固定ねじ２０の先端と、前部の挟持片１２ｂの後面とにより、棚板７の起立片１８を強く挟むことにより、仕切板１２を棚板７の上面に垂直をなすように固定する。
【００３２】
これにより、仕切装置１１は、仕切杆１３が各棚板７の前面と当接または近接するように、上下方向を向いて安定よく装着される。
装着後において仕切装置１１の左右位置を変更したいときには、固定ねじ２０を緩めて、仕切装置１１全体を左右方向に移動させたのち、再度固定ねじ２０を締め付けるだけでよい。なお、固定ねじ２０の先端部は、起立片１８の折返し部１８ａの直下に位置しているので、万一、固定ねじ２０が緩んでも、その上面が折返し部１８ａの下端と当接するので、仕切板１２の後端部が起立片１８の上方に外れる恐れはない。
【００３３】
以上説明したように、仕切装置１１は、棚板７に装着され、かつ図３の矢印のように、左右方向の装着位置を任意に変更することができるので、従来のように、仕切装置１１の左右方向の取付位置が限定されることはない。
従って、棚板７上に、多数のトレー１０を、左右方向に整然と区分けして載置することができ、また、左右寸法の異なるトレー１０であっても、左右方向に隙間なく効率よく並置することができるので、物品載置状態の体裁がよくなるとともに、物品載置用什器の使い勝手が向上する。
【００３４】
また、仕切杆１３の前面、すなわち仕切杆カバー１４の少なくとも前面に、物品名等の物品情報を印刷したシールまたは表示板を貼着したり、左右の仕切杆カバー１４を異なる色に着色したりしてもよく、このようにすると、棚板上の物品の選別等が容易になったり、棚板上の物品を部分的に際立たせたりすることができる。なお、物品名等を直接印字または着色した別の仕切杆カバー１４と交換してもよい。
【００３５】
なお、上記実施形態では、仕切板１２の後端部を、棚板７の起立片１８に固定ねじ２０を用いて固定しているが、起立片１８を、前後の挟持片１２ｂ、１６ｂにより、前後から挟むだけとすることもある。この際には、前後の挟持片１２ｂ、１６ｂの間隔を、起立片１８の板厚よりも僅かに大とすればよい。
【００３６】
また、上記実施形態では、固定ねじ２０を、後部の挟持片１６ｂに後方より螺合してあるが、前部の挟持片１２ｂに前方より螺合し、後部の挟持片１６ｂの前面に、起立片１８の後面を圧接させるようにしてもよい。この際には、起立片１８の上端部に、前下向きの折返し部を形成すればよい。
【００３７】
仕切杆１３を角管よりなるものとして、仕切杆カバー１４を省略してもよい。
【符号の説明】
【００３８】
１  支柱
２  横連結杆
３  背板
４  棚フレーム
５  引出し
６  キャビネット
７  棚板
８  側板
９  係合孔
１０  トレー(物品)
１１  仕切装置
１２  仕切板
１２ａ折返し部
１２ｂ挟持片
１３  仕切杆
１４  仕切杆カバー
１５  係止フック
１６  取付ブラケット
１６ａ後向片
１６ｂ挟持片
１７  係合孔
１８  起立片
１８ａ折返し部
１９  めねじ孔
２０  固定ねじ
【図１】
2011182990.tif 000003
【図２】
2011182990.tif 000004
【図３】
2011182990.tif 000005
【図４】
2011182990.tif 000006